(57)【要約】【課題】  墓地等に納骨するまでの間または外国人が帰国するまでの間、遺骨を保存することのできる葬祭具を提供するとともに、愛玩動物の遺骨を納めることのできる容器を提供する。【解決手段】  金属材料で構成された箱体１と、同質の金属材料で構成された蓋体２と、上記箱体に収納される小型の収納容器３とで構成する。箱体の内部表面には繊維材料による緩衝部材１６が被覆され、蓋体は、上部表面にプレート装着部材２７を有する。また、蓋体の上部裏面には繊維材料による緩衝部材２６が積層される。上記金属材料はステンレス鋼またはチタンを使用し、箱体および蓋体の外部に露出する個所を鏡面に仕上げる。なお、箱体を引き出す形態とすることもできる。【選択図】  図１
2005168522.tif 000002
【特許請求の範囲】
【請求項１】
金属材料で構成された箱体と、同質の金属材料で構成された蓋体と、上記箱体に収納される小型の収納容器とで構成され、上記箱体の内部表面には繊維材料による緩衝部材が被覆され、上記蓋体は、上部表面にプレート装着部材を有し、上部裏面には繊維材料による緩衝部材が積層されてなることを特徴とする簡易型納骨容器。
【請求項２】
前記箱体および蓋体は、上記箱体に上記蓋体を嵌合したとき少なくとも外側表面を形成する各面を鏡面に仕上げてなる箱体および蓋体である請求項１記載の簡易型納骨容器。
【請求項３】
金属材料で構成された納骨容器本体と、同質の金属材料で構成された引出部と、この引出部に収納される小型の収納容器とで構成され、上記納骨容器本体は、一側面を開口してなる縦断面コ字形の中空直方体形状にしてなり、この上部表面にプレート装着部を設けるとともに、上記開口一側面に対向する内部表面にマグネットプレートを設けてなる納骨容器本体であり、上記引出部は、箱型にしてなり、その内部表面が繊維材料による緩衝部材により被覆されている引出部であることを特徴とする簡易型納骨容器。
【請求項４】
前記引出部は、箱型を構成する底面部および左右側面部の外側表面が繊維材料による緩衝部材により被覆されてなる引出部である請求項３記載の簡易型納骨容器。
【請求項５】
前記引出部は、前記納骨容器本体に挿入されとき該納骨容器本体の開口一側面を閉鎖する蓋面部が構成されるとともに、この蓋面部の表面に金属材料で構成された把手部を設け、この蓋面部と反対側に位置する側面部の外側表面にマグネットプレートを設けてなる引出部である請求項３または４記載の簡易型納骨容器。
【請求項６】
マグネットプレートが設けられる前記側面部は、その外側表面において該マグネットプレートを被覆するように繊維材料による緩衝部材が積層されている側面部である請求項５記載の簡易型納骨容器。
【請求項７】
前記収納容器は、前記箱体または納骨容器本体と同質の金属材料で構成された収納容器である請求項１ないし６のいずれかに記載の簡易型納骨容器。
【請求項８】
前記収納容器は、収納用箱体と、収納用蓋体とで構成され、上記収納用箱体に上記収納用蓋体を嵌合したとき、少なくとも外側表面を形成する各面は鏡面に仕上げられた収納容器である請求項７記載の簡易型納骨容器。
【請求項９】
前記金属材料は、ステンレス鋼である請求項１ないし８のいずれかに記載の簡易型納骨容器。
【請求項１０】
前記金属材料は、チタンである請求項１ないし８のいずれかに記載の簡易型納骨容器。
【請求項１１】
前記金属材料は、ステンレス鋼またはチタンを着色処理してなる金属材料である請求項１ないし８のいずれかに記載の簡易型納骨容器。
【発明の詳細な説明】
【技術分野】
【０００１】
本発明は、自宅において納骨できるとともに納骨場所を移動可能にする簡易型納骨容器に関するものである。
【背景技術】
【０００２】
一般的に、故人の遺骨を納める場合は、屋外墓を使用しているものであるが、お墓が遠方に存在する場合は、頻繁にお墓参りをすることができず、近隣でお墓参りをしたい場合は、分骨などの手段によることとしていた。そこで、この種の不便を解消するものとして、位牌の台部を箱状として、その箱内に遺骨を納める構成とした納骨位牌の考案があった（特許文献１参照）。
【特許文献１】実登３０３８４９５号公報（２頁、図３）
【発明の開示】
【発明が解決しようとする課題】
【０００３】
上記の従来技術では、位牌の台部に納骨する構成であるため、全体的な外観は位牌と同様にならざるを得ず、位牌として仏壇等に収納することが一般的な使用態様となるものであった。しかし、近時、墓地や墓石のみならず仏壇も高価となり、仏壇等をも容易に購入することができるものではなく、特に、仏壇を使用しない宗教においては、現実的に使用できないものとなっていた。さらに、一時的に我が国で就労等している外国人家庭においては、帰国までの間、遺骨を安置させるための葬祭具が必要となるものの、これらの葬祭具は開発されていなかった。
【０００４】
また、最近では、愛玩動物が絶命した場合、火葬とともに丁重に弔う家庭も増加しつつあるが、これらの愛玩動物の遺骨については世間体などを気にして、先祖代々の墓地に埋葬することに抵抗を感じることもあって、愛玩動物の遺骨を納めるための墓地や納骨堂などの需要も多いのが現状である一方、身近で供養したいという要求も強く、その際には飼い主が遺骨を納めた骨壺に適宜装飾を施しているものであった。
【０００５】
本発明は、上記諸点にかんがみてなされたものであって、その目的とするところは、墓地等に納骨するまでの間または外国人が帰国するまでの間、遺骨を保存することのできる葬祭具を提供するとともに、愛玩動物の遺骨を納めることのできる容器を提供することである。
【課題を解決するための手段】
【０００６】
そこで、本発明は、金属材料で構成された箱体と、同質の金属材料で構成された蓋体と、上記箱体に収納される小型の収納容器とで構成され、上記箱体の内部表面には繊維材料による緩衝部材が被覆され、上記蓋体は、上部表面にプレート装着部材を有し、上部裏面には繊維材料による緩衝部材が積層されてなることを特徴とする簡易型納骨容器を要旨としている。
【０００７】
上記発明において、前記箱体および蓋体が、両者を嵌合したとき少なくとも外側表面を形成する各面を鏡面に仕上げてなる箱体および蓋体である構成とすることができる。
【０００８】
また、本発明は、金属材料で構成された納骨容器本体と、同質の金属材料で構成された引出部と、この引出部に収納される小型の収納容器とで構成され、上記納骨容器本体は、一側面を開口してなる縦断面コ字形の中空直方体形状にしてなり、この上部表面にプレート装着部を設けるとともに、上記開口一側面に対向する内部表面にマグネットプレートを設けてなる納骨容器本体であり、上記引出部は、箱型にしてなり、その内部表面が繊維材料による緩衝部材により被覆されている引出部であることを特徴とする簡易型納骨容器をも要旨としている。
【０００９】
上記発明において、前記引出部のうち、箱型を構成する底面部および左右側面部の外側表面を繊維材料による緩衝部材により被覆する構成とすることができる。また、前記引出部は、前記納骨容器本体に挿入されとき該納骨容器本体の開口一側面を閉鎖する蓋面部が構成されるとともに、この蓋面部の表面に金属材料で構成された把手部を設け、この蓋面部と反対側に位置する側面部の外側表面にマグネットプレートを設けてなる構成とすることができる。そして、この場合、マグネットプレートが設けられる前記側面部は、その外側表面において該マグネットプレートを被覆するように繊維材料による緩衝部材が積層されている側面部とすることもできる。
【００１０】
さらに、上記両発明において、前記収納容器は、前記箱体または納骨容器本体と同質の金属材料で構成することができ、この場合の収納容器は、収納用箱体と、収納用蓋体とで構成され、上記収納用箱体に上記収納用蓋体を嵌合したとき、少なくとも外側表面を形成する各面は鏡面に仕上げられた構成とすることもできる。そして、いずれの場合においても、前記金属材料をステンレス鋼とすることができ、また、チタンを使用してもよく、これらステンレス鋼またはチタンを着色処理してなる金属材料を使用することもできる。
【発明の効果】
【００１１】
本発明によれば、金属材料により重量感のある簡易型納骨容器とすることができることから、長期間にわたって場所の移動を抑えつつ遺骨を安置させることができる。そして、物の衝突等による損壊や火気等による消失のおそれがなく、長期間の保存に適するものである。そして、金属材料の表面を鏡面に仕上げることにより、金属特有の光沢による優れた意匠性を発揮させることができる。
【００１２】
また、内部に収容される収納容器に遺骨を収納させるものであるから、遺骨のみを移動させることが容易となり、墓地等への埋葬の際または外国人の帰国の際には、運搬が簡便となるものである。一方、この収納容器は、小さなものであることから、これを複数収容することができ、遺骨のほかに保管を欲する物を異なる収納容器に納めて保存することができる。また、愛玩動物の供養に使用する場合にあっては、これら複数の収納容器を使用することによって、数匹分の愛玩動物の遺骨を納めることも可能である。
【００１３】
さらに、金属同士が接触する部分に繊維材料の緩衝部材を設けることによって、衝撃による傷の発生を防止し、また、金属同士が擦れ合って発生する耳障りな音を未然に防止することができる。そして、プレート装着部の使用により、多種の宗教に合った供養の態様を可能にし、愛玩動物の供養の際にも宗教とは無関係なプレートを装着して供養することができる。
【００１４】
そして、金属材料として、ステンレス鋼やチタンを使用することにより、錆等による腐食に耐えることのできる簡易型納骨容器とすることができ、これにより、長期間の使用が可能となることから、墓、仏壇または位牌の代用として使用することができるものである。
【発明を実施するための最良の形態】
【００１５】
以下、本発明の実施の形態を図面に基づいて説明する。第一の実施形態は、図１に示すように、箱体１、蓋体２および収納容器３で構成されており、収納容器３が箱体１に収納されるものである。上記箱体１は、上面を開口してなる箱型容器が形成されており、上記収納容器３を十分に収納できる程度の深さと幅を有している。また、蓋体２は、上記箱体１を外側から嵌合させて、当該箱体１の開口を閉鎖することができる構成となっている。さらに、収納容器３は、同様に収納用箱体３１に収納用蓋体３２が嵌合して小型の容器として機能する構成となっている。そして、これらの箱体１，蓋体２および収納容器３は、基本的に同一の金属材料で構成されるものである。
【００１６】
箱体１は、箱型容器を構成するため、底面部１１およびその四方の側面部１２，１３，１４，１５によって構成されており、一方、蓋体２は、上記箱体１を外部から嵌合できるように、上面部２１およびその四方の側面部２２，２３，２４，２５で構成され、この側面部２２〜２５の高さ寸法は、箱体１の側面部１２〜１５の高さとほぼ同様に設けられている。
【００１７】
ここで、上記箱体１の内部表面は、図２（ａ）に示すように、例えばフェルトのような柔軟性を有する繊維材料１６によって被覆されている。これは、金属材料よりなる箱体１と内部に収納される収納容器３との間で緩衝部材として機能させているのである。従って、この繊維材料１６は、緩衝部材として十分に機能させるために適宜な肉厚を有しており、収納容器３が箱体１の内部で衝突することがあっても、当該収納容器３を保護することができるとともに、金属材料同士が直接的に接触することにより発生する耳障りな音を防ぐものである。また、箱体１の外側表面は金属材料を鏡面に仕上げられており、金属材料特有の光沢ある模様を現出させており、蓋体の意匠性を向上させている。
【００１８】
一方、蓋体２においても、各面部２１〜２５のうち、少なくとも外部表面は鏡面に仕上げられており、蓋体２を箱体１に嵌合させた際、容器全体が鏡面仕上げによる金属特有の光沢を現出させている。また、この蓋体２の上面部２１の内部表面には、図２（ｂ）に示すように、少なくとも箱体１の側面部１２〜１５の上端と当接する位置に上記繊維材料１６と同質の材料２６が緩衝部材として積層されている。この繊維材料２６は、例えばフェルトによって構成され、十分な肉厚を有している。従って、蓋体２を箱体１に嵌合するとき、箱体１に開口部端縁を構成する各側面部１２〜１５の上端縁と、蓋体２の上面内側との間における衝撃を緩和させることができるとともに、箱体１と蓋体２とが直接的に接触することにより発生する耳障りな音を防ぐものである。
【００１９】
さらに、この蓋体２の上面部２１の外部表面には、プレート装着部２７が設けられており、このプレート装着部２７には、利用者が故人の戒名をプレートに記して装着できるほか、故人の遺志や偲ぶ言葉などを記すこともできる。また、愛玩動物の遺骨を納めている場合には、エッチング加工等により愛玩動物の表情を縁取りした遺影をプレートに描写し、これを装着することも可能である。
【００２０】
上記プレート装着部２７は、蓋体２と同種の金属材料で構成し、表面を鏡面に仕上げることによって、蓋体２の一部を構成させることができ、全体として金属特有の光沢を現出させることができる。また、蓋体２およびプレート装着部２７はともに金属材料で構成することにより、蓋体２の上面内側から挿入したネジ２８によって、当該プレート装着部２７をネジ止めによる強固な固定が可能である。本実施形態では、上述のとおり、蓋体２およびプレート装着部２７はいずれも金属材料を使用することから、上記ネジ２８の着脱が可能であり、このネジ２８を離脱させて他の種類（形状等を異ならせたものなど）に変更することができる。従って、所望の形状に加工したプレート装着部２７を選択することができるほか、後日、修正や変更することも可能となるのである。
【００２１】
収納容器３は、上述のとおり、上記箱体１に収納される程度の大きさであり、例えば、箱体１の深さを７０ｍｍとする場合、これよりも低い５０ｍｍ程度の高さとするのである。また、箱体１の内部幅を１４０ｍｍとする場合、収納容器３の外部幅を７０ｍｍ未満とすることにより、幅方向に２個の収納容器３を収容させることが可能となり、また、箱体１の内部の縦方向長さが１４０ｍｍ以上とすれば全体で４個の収納容器３を収容させることが可能となるのである。そして、この収納容器３に供養すべき故人や愛玩動物の遺骨を収納させることによって、本体内部に納骨できるものである。
【００２２】
上記収納容器３は、上述のごとき収納用箱体３１と収納用蓋体３２とで構成されていることから、前述の箱体１および蓋体２と同様に、フェルト等の繊維材料による緩衝部材で所定個所を被覆すること構成とすることもでき、特に、収納用蓋体３２の上部裏面を緩衝部材で被覆することにより、収納用箱体３１との当接の際に衝撃を緩和させることができるものである。また、この収納容器３については、緩衝部材を設けない構成としてもよい。つまり、この種の収納容器３は、遺骨等を収納したうえで前述の箱体１に収容されるものであるから、頻繁に開放等することは予想されないものであることから、この収納用蓋体３２には上記蓋体２のように上面内側に緩衝部材が設けられていないとしても、収納用箱体３１と収納用蓋体３２との間において、金属同士が接触する際の耳障りな音が頻繁に発生することがないからである。なお、収納容器３を構成する収納用箱体３１および収納用蓋体３２の外部表面は鏡面に仕上げられており、収納容器３の表面が金属材料特有の光沢を現出させることができるのである。従って、蓋体２を取って箱体１を開口したとき、その箱体１に収容されている状態において、収納容器３が美しい光沢によって優れた意匠性を呈することとなる。
【００２３】
上記収納容器３は、図３に示すように、十分な深さの収納用箱体３１と、これをさらに十分な高さの側壁を備えた収納用蓋体３２とにより、容易に開口できない構成とすることができる。すなわち、収納用蓋体３２の側壁が収納容器３の外部表面を形成する程度に十分な高さとすることにより、振動によって収納用蓋体３２が収納用箱体３１から離脱することがなく、また、収納容器３が横転した場合であっても収納用蓋体３２の側壁が底部となった状態で横向きに安定することから、収納用蓋体３２が収納用箱体３１から容易に離脱するものではない。
【００２４】
上記収納容器３の他の実施形態としては、図４または図５に示すように、収納用箱体３１と収納用蓋体３２とを螺合させるものがある。この場合、収納用箱体３１には、開口部付近の周辺に雄ネジ部３３が設けられるとともに、収納用蓋体３２の内部には雌ネジ部３４が設けられ、両者を螺合させることによって、収納用箱体３１に収納用蓋体３２を強固に装着することができるのである。なお、雄ネジ部３３と雌ネジ部３４を螺合させる際、収納用蓋体３２を周方向に回転させることが必要であるため、図４では、全体を断面形状円形としており、図５では、両方のネジ部３３，３４が設けられるべき部分のみを断面形状円形としている。この場合、収納用箱体３１の内部空間は断面形状円形となるため、図５に示すような直方体形状の収納容器３では、前述の直方体形状の収納用箱体３１（図３）に比較して、収納できる容量が小さくなるため、全体的に大きくすることによって収納容量を同程度とすることも可能である。
【００２５】
以上のように、本実施形態は、箱体１、蓋体２および収納容器３のいずれも金属材料で構成することから、本実施形態の簡易型納骨容器は、全体として小型でありながら極めて重いものとすることができる。従って、遺骨を安置するための程良い重量感を得ることができ、しかも、多少の振動等によって設置場所が変動することがない。さらに、地震等によって、本実施形態の簡易型納骨容器に対して物が衝突したとしても、容易に損壊することがなく遺骨の損傷を防止でき、また、火災等によって高温の環境下や火気による消失からも回避することができるものである。
【００２６】
また、各部材を金属材料とすることによって、これら各部材の外部表面を鏡面に仕上げることができ、これにより、箱体１が開口する状態においても、箱体１が蓋体２で包囲された状態においても、外部から金属材料特有の光沢を現出させることができ、他の装飾品等を付加することなく優れた意匠性を得ることができる。
【００２７】
本実施形態においては、遺骨は収納容器３に収納されることから、蓋体２を開放したとしても遺骨の存在を直接目視することがなく、簡易型納骨容器であることに気付かない訪問者が誤って蓋体２を開放しても、不快感を与えることがないという効果をも有することとなる。そして、外観は金属光沢により装飾されているので、居間などに安置した場合にも他の装飾品との間で違和感を覚えることもない。また、外国人等が帰国の際に遺骨を持ち帰る場合には、簡易型納骨容器全体を持ち帰る必要はなく、内部に収納している収納容器３のみを持ち帰ることで目的を達成し得るのであるから、持ち運びに簡便なものである。
【００２８】
また、上記金属材料をステンレス鋼とすることによって、長期間の金属光沢を維持させることができる。また、上記金属材料としてチタンを使用することにより、耐食性に優れたものとすることができ、長期間の使用に適することとなる。従って、墓石の代用として利用することも可能となり、仏壇や位牌として使用すれば、長期にわたる使用ができる。また、このようにチタンを使用した簡易型納骨容器の場合には比較的軽量となるため、設置場所を移動する場合、または、外国人等が故人の遺骨を母国へ持ち帰る場合に、その利便性を向上させることとなる。
【００２９】
なお、上記ステンレス鋼またはチタンを使用する簡易型納骨容器にあっては、これらについて着色処理を施すことが可能である。具体的には、ステンレス鋼は硫酸・クロム酸溶液に浸漬することによって金色や赤紫などの着色処理が可能である。そこで、鏡面仕上げによる金属光沢のみの外観に加えて、着色された外観を選択することが可能である。
【００３０】
本実施形態の使用態様は、所望の場所に簡易型納骨容器を設置し、故人の遺骨を収納容器３に納めたうえで、この収納容器３を箱体１に収納させるものである。この場合、収納容器３は、箱体１の容量に比較して非常に小さく構成されているから、この収納容器３を収納した状態においても、箱体１にはなお空間が存在しているのである。そこで、この空間には、故人の遺品を収納することもでき、故人の写真や手紙類をも収納させることができる。さらに、場合によっては、信仰する宗教に基づくお経が書かれた経典や、埋葬許可証など諸法令に基づいて必要となる許可証または諸法令に従った手続きを記載した手引き書などを収納しておくことも可能である。なお、本実施形態では、箱体１に複数個の収納容器３を収容できる構成であるから、その一つに遺骨を収納し、他の容器３に遺品等を収納することも可能である。また、愛玩動物の納骨用として使用する場合、数匹の愛玩動物の遺骨を個別の収納容器３に収納することもできる。
【００３１】
次に、第二の実施形態について説明する。本実施形態は、図６に示すように、納骨容器本体１０２と、引出部１０１とで構成されている。納骨容器本体１０２は、中空直方体の一側面１２２を開口してなる縦断面形状コ字形に形成されており、一方、引出部１０１は、上面を開放してなる直方体の箱型に成形され、納骨容器本体１０２の開口した一側面１２２から内部に挿入可能となっている。従って、引出部１０１を納骨容器本体１０２に挿入することにより、容器が閉鎖した状態となり、引出部１０１を納骨容器本体１０２から引き出すことによって、当該引出部１０１が開口する構成となっている。また、上記引出部１０１は、第一実施形態の箱体１と同様に十分な深さを有する構成となっており、この引出部１０１の内部に収納容器３を収納できるものである。これらの納骨容器本体１０２、引出部１０１および収納容器３は、いずれも金属材料で構成され、少なくとも外部に露出する表面は鏡面に仕上げられている。
【００３２】
そこで、引出部１０１の全体を納骨容器本体１０２に挿入した状態において、引出部１０１の正面側を構成する側面部１１２が、当該納骨容器本体１０２の開口一側面１２２を閉鎖する状態となり、当該一側面１２２の蓋面部として機能することから、この正面側の側面部１１２が簡易型納骨容器の外側表面の一部を構成することとなる。従って、少なくともこの正面側の側面部１１２の外部表面は鏡面に仕上げられている。また、この正面側の側面部１１２の外部には、把手部１１７が設けられており、この把手部１１７も同様に金属材料を鏡面に仕上げることにより、引出部１０１の挿入時における簡易型納骨容器全体に金属光沢を与えることができることとなる。なお、この把手部１１７の形状は、図において球状としているが、他の任意な形状とすることができるものである。
【００３３】
また、引出部１０１を構成する底面部１１１および側面部１１２〜１１５の内部表面は、図７に示すように、繊維材料１１６によって被覆されている。この繊維材料１１６の被覆によって収納される収納容器３との衝撃が緩和され、金属材料同士の接触による不快な音の発生を防いでいる。また、引出部１０１の底面部１１１の下面も繊維材料１１６により被覆することにより、納骨容器本体１０２に引出部１０１を挿入しまたはこれを引き出す際に、両者が当該繊維材料１１６を介して接触するようにしている。さらに、引出部１０１を構成している左右の側面部１１３，１１４の外側表面にも繊維材料１１６が被覆される構成とすることができる。これにより、引出部１０１を移動させる際に、摺接する可能性のある金属材料の間に当該繊維材料１１６を介在させることが可能となるのである。
【００３４】
納骨容器本体１０２は、上述のように、一側面１２２のみが開口しており、この開口一側面１２２から引出部１０１が挿入されるのであるが、この納骨容器本体１０２の開口一側面に対向する位置には側面部（以下、対向側面部という）１２５が存在し、引出部１０１の正面側の側面部１１２とは反対側に位置する側面部（以下、先端側面部という）１１５が、この対向側面部１２５に当接するまで当該引出部１０１を挿入させることができるのである。そこで、上記対向側面部１２５の内側全面に、マグネットプレート１２９を設けることにより、挿入した引出部１０１の状態を維持させるようになっている。すなわち、引出部１０１は全体が金属材料で構成されていることから、納骨容器本体１０２の対向側面に設けられたマグネットプレート１２９に先端側面部１１５が当接することによって、このマグネットプレート１２９が当該先端側面部１１５を磁着することとなり、引出部１０１の引き出し方向への移動を抑制しているのである。このように構成することにより、引出部１０１が挿入された状態の納骨容器本体１０２を移動などする場合、納骨容器本体１０２を持ち上げたとき、引出部１０１が滑り落ちることを防止するものであり、また、振動等によって徐々に引出部１０１が移動することをも防止するものである。
【００３５】
また、図８に示すように、引出部１０１の先端側面部１１５にもマグネットプレート１１９を設けることにより、さらに磁着力を増大させることも可能である。この場合、当然のことであるが、納骨容器本体１０２の対向側面部１２５に設けられるマグネットプレート１２９の表面の磁極と、引出部１０１の先端側面部１１５に設けられるマグネットプレート１１９の表面の磁極とは、相互に異なるものが使用されている。また、上記構成の場合、引出部１０１の先端側面部１１５の表面にマグネットプレート１１９が露出することから、これを被覆するため、マグネットプレート１１９の表面に繊維材料１１６を積層することもできる。この繊維材料１１６の被覆により、引出部１０１の先端側面部１１５が納骨容器本体１０２の対向側面部１２５と衝突する際の衝撃を緩和させることも可能となる。
【００３６】
本実施形態は上記のような構成であるから、引出部１０１を引き出した状態では、当該引出部１０１が開口することとなるので、この状態において収納容器３を収納することができる。また、収納容器３を収納させた状態においても空間が存在するため、この空間内に遺品等を収納することが可能となる。なお、ここで使用する収納容器３は、第一の実施形態において示した収納容器３と同種のものとすることができる。
【００３７】
なお、本実施形態においても、金属材料をステンレス鋼とすることができる。ただし、納骨容器本体１０２の対向側面部１２５にのみマグネットプレート１２９を設ける形態においては、少なくとも引出部１０１の先端側面部１１５は、例えば、マルテンサイト型またはフェライト型などのように、マグネットによって磁着される性質を有するステンレス鋼を使用する必要がある。
【００３８】
次に、その他の実施形態を説明する。上記実施形態の引出部１０１は、底面部１１１の全面は繊維材料１１６によって被覆される構成となっていたが、他の実施形態として、図９（ａ）に示すように、正面側の側面部１１２が設けられている位置において、繊維材料１１６ではなくゴム製材料１１６ａを設けた形態とすることができる。これは、フェルト等の繊維材料１１６をもって緩衝材料とする場合、金属材料との摩擦抵抗が低下するから、引出部１０１の移動が容易となる反面、引出部１０１の閉鎖直前においても移動が円滑となり、勢いよく閉鎖される場合には、当接される各部が激しく衝突することが予想されるところ、上記ゴム製材料１１６ａにより摩擦抵抗を敢えて増加させて、引出部１０１の移動を制限するのである。従って、このように構成すれば、各部が当接する直前で引出部１０１の速度を低下させことができる。
【００３９】
また、第二の実施形態では、上述のように、納骨容器本体１０２に引出部１０１が挿入され、引出部１０１を移動させることによって当該引出部１０１を開口させる構造であるから、その移動の際、金属材料同士が接触しないように、引出部１０１の側に繊維材料１１６を設ける構成であったが、図９（ｂ）に示すように、引出部納骨容器本体１０２の内部表面に繊維材料１１６を設ける構成とすることもできる。この場合は、引出部１０１を構成している底面部１１１および各側面部１１２〜１１５の外側表面を露出させることが可能となるから、鏡面に仕上げることによって、金属の光沢による優れた外観を有することとなり、納骨容器本体１０２から引き出した状態の引出部１０１の意匠を向上させることができる。
【００４０】
さらに、引出部１０１の先端側面部１１５に設けられるマグネットプレート１１９は、図１０（ａ）に示すように、鉄製または磁着性を有するステンレス鋼による板材１１５ａを介在させること形態とすること、または、図１０（ｂ）に示すように、マグネットプレート１１９の表面に同種の板材１１５ｂを設ける形態とすることも可能である。これら鉄製等の板材１１５ａを設けることによって、マグネットプレート１１９の磁力を強力に作用させるのである。
【００４１】
また、上記のように、簡易型納骨容器は、箱体１および蓋体２で構成する場合と、納骨容器本体１０２と引出部１０１とで構成する場合の二態様を基本とするが、プレート装着部２７については、種々の形態が考えられる。そこで、代表的と思われるプレート装着部２７を図１１に示す。この図に示すように、プレート装着部２７は、適宜面積の平面部を有しており、この平面部を四辺形、多角形、円形若しくは楕円形またはこれらを結合した形状とすることにより、多種類の形状からなるプレート装着部２７を構成することができる。しかも、例えば、図１１（ａ）に示すように、直立させる形態のほか、図１１（ｂ）のように斜状にしてなる形態とすることも可能である。そして、斜状に設けるプレート装着部２７の形態としては、図１１（ｃ）および（ｄ）に示すように、六面体のプレート装着部２７を使用することもできる。これら各態様のプレート装着部２７は、いずれもネジ２８（図２）で固定することができるほか、溶接によって強固に固定することも可能である。
【００４２】
また、プレート装着部２７の平面部に代えて、収納用蓋体２または納骨容器本体１０２の上部表面にプレートを装着するとともに、前記プレート装着部２７は装飾効果のある形状のものを装着してもよく、さらに、当該プレート装着部２７に装飾効果のある模様を付したプレートを装着して使用することもできる。この場合、プレート装着部２７に変えて、信仰している宗教の代表的な象徴等を装着することもできる。
【００４３】
なお、上記実施形態は、本発明の趣旨を逸脱しない範囲において、種々の形態をとることができ、金属材料として例示したステンレス鋼またはチタンや、緩衝部材として例示したフェルトは、これらの材料に限定する趣旨ではない。本発明と同様の効果を発揮するその他の材料を使用できることは言うまでもない。
【図面の簡単な説明】
【００４４】
【図１】本発明の第一実施形態を示す分解斜視図である。
【図２】（ａ）はＩＩＡ−ＩＩＡ断面図であり、（ｂ）はＩＩＢ−ＩＩＢ断面図である。
【図３】収納容器の実施形態を示す説明図である。
【図４】収納容器の他の実施形態を示す説明図である。
【図５】収納容器の他の実施形態を示す説明図である。
【図６】本発明の第二実施形態を示す分解斜視図である。
【図７】ＶＩＩ−ＶＩＩ断面図である。
【図８】第二実施形態の引出部の他の実施形態を示す説明図である。
【図９】他の実施形態を示す説明図である。
【図１０】他の実施形態を示す説明図である。
【図１１】他の実施形態を示す説明図である。
【符号の説明】
【００４５】
１  箱体
２  蓋体
３  収納容器
１１  箱体の底部
１２，１３，１４，１５  箱体の側面部
１６，２６，１１６  繊維材料
２１  蓋体の上面部
２２，２３，２４，２５  蓋部の側面部
２７  プレート装着部
３１  収納用箱体
３２  収納用蓋体
１０１  引出部
１０２  納骨容器本体
１１２  引出部正面の側面部
１１５  先端側面部
１１５ａ，１１５ｂ  板材
１１７  把手部
１１６ａ  ゴム製材料
１１９，１２９  マグネットプレート
【図１】
2005168522.tif 000003
【図２】
2005168522.tif 000004
【図３】
2005168522.tif 000005
【図４】
2005168522.tif 000006
【図５】
2005168522.tif 000007
【図６】
2005168522.tif 000008
【図７】
2005168522.tif 000009
【図８】
2005168522.tif 000010
【図９】
2005168522.tif 000011
【図１０】
2005168522.tif 000012
【図１１】
2005168522.tif 000013